(57)【要約】      （修正有）【課題】同一形状や同一規格の複数の歯科用チップであっても相互に簡便に識別することができる歯科用チップを提供する。【解決手段】施療部位に向けて延出する施療用ヘッド２１０と施療用ヘッド２１０を支承する円柱状の基部本体２２０とが一体に形成され、基部本体２２０が、基部本体２２０の外周に沿って環状に形成された複数の識別用溝部２２３を備え、複数の識別用溝部２２３が、それぞれ色付けされている。【選択図】図４
0003225755.tif 000002
【実用新案登録請求の範囲】
【請求項１】
施療部位に向けて延出する施療用ヘッドと該施療用ヘッドを支承する円柱状の基部本体とが一体に形成された歯科用チップにおいて、
前記基部本体が、該基部本体の外周に沿って環状に形成された複数の識別用溝部を備え、
前記複数の識別用溝部が、それぞれ色付けされていることを特徴とする歯科用チップ。
【請求項２】
前記複数の識別用溝部が、該識別用溝部に装着したリングによりそれぞれ色付けされていることを特徴とする請求項１に記載の歯科用チップ。
【請求項３】
前記複数の識別用溝部が、該識別用溝部に着色した塗料層によりそれぞれ色付けされていることを特徴とする請求項１に記載の歯科用チップ。
【請求項４】
前記複数の識別用溝部が、相互に色分けされていることを特徴とする請求項１乃至請求項３のいずれか一つに記載の歯科用チップ。
【請求項５】
前記施療用ヘッドが、超音波ヘッドであることを特徴とする請求項１乃至請求項４のいずれか一つに記載の歯科用チップ。
【考案の詳細な説明】
【技術分野】
【０００１】
本考案は、歯科用チップ、特に、複数の所有者（使用者）を識別するための識別用溝部を備える歯科用チップに関するものである。
【背景技術】
【０００２】
従来、歯科用チップとしては、スケーリング、ルートプレーニング、イリゲーション、根管治療、逆根管治療、根管内異物除去、インプラントメンテナンス等に用いる各種形状の歯科用チップが知られており、施術者が出力レンジの選択に必要な規格を識別するために、チップの空洞に収容される識別子を備えた超音波スケーラー用チップが知られている（特許文献１）。
【先行技術文献】
【特許文献】
【０００３】
【特許文献１】特許第４７２９５６６号公報（段落番号００２３〜００３２、図２）
【考案の概要】
【考案が解決しようとする課題】
【０００４】
しかしながら、このような従来の歯科用チップでは、複数の歯科医師及び歯科衛生士が施療を行う際に、同一形状や同一規格の歯科用チップは、一見して相互に識別することができないため、特に使用後又はオートクレーブによる減菌処理後に、各歯科用チップの所有者（使用者）を判別することができないという問題があった。
【０００５】
そこで、本考案は、前述したような従来技術の問題を解決するものであって、すなわち、本考案の目的は、同一形状や同一規格の複数の歯科用チップであっても相互に簡便に識別することができる歯科用チップを提供することである。
【課題を解決するための手段】
【０００６】
本請求項１に係る考案は、施療部位に向けて延出する施療用ヘッドと該施療用ヘッドを支承する円柱状の基部本体とが一体に形成された歯科用チップにおいて、前記基部本体が、該基部本体の外周に沿って環状に形成された複数の識別用溝部を備え、前記複数の識別用溝部が、それぞれ色付けされていることにより、前述した課題を解決するものである。
【０００７】
本請求項２に係る考案は、本請求項１に係る考案の構成に加え、前記複数の識別用溝部が、該識別用溝部に装着したリングによりそれぞれ色付けされていることにより、前述した課題を解決するものである。
【０００８】
本請求項３に係る考案は、本請求項１に係る考案の構成に加え、前記複数の識別用溝部が、該識別用溝部に着色した塗料層によりそれぞれ色付けされていることにより、前述した課題をさらに解決するものである。
【０００９】
本請求項４に係る考案は、本請求項１乃至請求項３に係る考案の構成に加え、前記複数の識別用溝部が、相互に色分けされていることにより、前述した課題をさらに解決するものである。
【００１０】
本請求項５に係る考案は、本請求項１乃至請求項４に係る考案の構成に加え、前記施療用ヘッドが、超音波ヘッドであることにより、前述した課題をさらに解決するものである。
【考案の効果】
【００１１】
本考案の請求項１に係る考案の歯科用チップによれば、施療部位に向けて延出する施療用ヘッドと施療用ヘッドを支承する円柱状の基部本体とが一体に形成されたことにより、歯科の施療ができるばかりでなく、以下のような本考案に特有の構成により、本考案に特有の効果を奏することができる。
【００１２】
本考案の請求項１に係る考案の歯科用チップによれば、基部本体が、基部本体の外周に沿って環状に形成された複数の識別用溝部を備え、複数の識別用溝部が、それぞれ色付けされていることにより、これらの複数の識別用溝部が複数の色を組合せた多様なパターンによって色付けされるため、複数の歯科医師及び歯科衛生士が施療を行う際に同一形状や同一規格の歯科用チップであっても相互に簡便に識別することができる。
【００１３】
本考案の請求項２に係る考案の歯科用チップによれば、請求項１に係る考案が奏する効果に加え、複数の識別用溝部が、識別用溝部に装着したリングによりそれぞれ色付けされていることにより、リングが識別用溝部に嵌合しているため、オートクレーブの熱によってもリングが脱落しにくく、色付けを保持することができる。
【００１４】
本考案の請求項３に係る考案の歯科用チップによれば、請求項１に係る考案が奏する効果に加え、複数の識別用溝部が、識別用溝部に着色した塗料層によりそれぞれ色付けされていることにより、識別のために部品点数を増加させることもないため、製造方法を簡素化することができる。
【００１５】
本考案の請求項４に係る考案の歯科用チップによれば、請求項１乃至請求項３に係る考案が奏する効果に加え、複数の識別用溝部が、相互に色分けされていることにより、複数の相互に異なる色を識別用溝部の相互間で色分けした多様な着色パターンが創出可能となるため、歯科用チップの識別に際し、誤認を少なくすることができる。
【００１６】
本考案の請求項５に係る考案の歯科用チップによれば、請求項１乃至請求項４に係る考案が奏する効果に加え、施療用ヘッドが、超音波ヘッドであることにより、超音波振動によって歯科施療が可能になるため、振動によって歯石の除去、インプラントメンテナンスなどの歯周に対する施療を十分に達成することができる。
【図面の簡単な説明】
【００１７】
【図１】本考案の第一実施例に係る歯科用チップの概要を示す模式図。
【図２】本考案の第一実施例に係る歯科用チップの構成を示す模式的一部断面図。
【図３】本考案の第一実施例に係る歯科用チップの識別用溝部を色付けする前の状態を示す模式図。
【図４】本考案の第二実施例に係る歯科用チップの識別用溝部を色付けする前の状態を示す模式図。
【図５】本考案の第二実施例に係る歯科用チップの構成を示す模式的一部断面図。
【考案を実施するための形態】
【００１８】
本考案の歯科用チップは、施療部位に向けて延出する施療用ヘッドと施療用ヘッドを支承する円柱状の基部本体とが一体に形成され、基部本体が、基部本体の外周に沿って環状に形成された複数の識別用溝部を備え、複数の識別用溝部が、それぞれ色付けされ、複数の歯科医師及び歯科衛生士が施療を行う際に容易に歯科用チップの所有者（使用者）を識別するものであれば、その具体的な実施態様は、如何なるものであっても構わない。
【００１９】
すなわち、本考案の歯科用チップは、スケーリング、ルートプレーニング、イリゲーション、根管治療、逆根管治療、根管内異物除去、インプラントメンテナンス等に用いる各種用途の歯科用チップとすることができるが、特に施療用ヘッドが超音波振動を利用する超音波ヘッドであるものとすることができる。
【００２０】
本考案の歯科用チップの基部本体の形状は、円柱状に構成することが一般的であるが、他の断面形状を有する柱体に構成してもよく、断面形状が一定でなくてもよい。
【００２１】
本考案の歯科用チップの識別用溝部は、基部本体の表面に長手方向、円周方向、らせん状等のいずれの態様に構成してもよいが、円周方向に延在するように構成することが好ましく、全周にわたって構成するとあらゆる方向から色付けされた色を視認することができ、また、リング又は塗料層が脱落しにくいためより好ましい。
【００２２】
また、識別用溝部の数は、１本あれば歯科用チップの識別を行えるが、複数とすることができる。色付けに使用する色の数が少数であっても、識別用溝部の数を増やすことにより、多数の歯科用チップを識別することができる。また、複数の溝の幅を相互に異なるものとすれば、色付けの色と幅との組み合わせにより、いっそう多数の歯科用チップを識別することができる。
【００２３】
識別用溝部の底面に凹部又は凸部を形成しておけば、色付けに用いるリング又は塗料層と識別用溝部とが堅固に固着するため、振動や熱によるリング又は塗料層のずれ、剥離又は脱落を防止することができて好ましい。
【００２４】
本考案の歯科用チップのリングは、容易に脱落しない素材であれば、樹脂、ゴム、金属その他の素材により構成することができる。歯科用チップを容易に識別できるよう、リングは着色等により色を選択することができる素材から構成することが好ましい。
【００２５】
リングをシリコンゴム等の弾性部材で構成する場合には、予め環状に形成したリングに施療用ヘッド側から歯科用チップを挿通し、リングを識別用溝部に嵌合させて構成することができる。
【００２６】
一方、識別用溝部をリングの装着に代えて塗料層により着色する場合には、各色の顔料を含有する樹脂を流動状態で識別用溝部内に塗布した後に硬化させて構成することができる。
【００２７】
この場合、樹脂としては例えばポリフルオロエチレン（ＰＴＦＥ）、シリコン樹脂等の生体適合性を有するエラストマーを用いることができる。
【実施例】
【００２８】
以下に、本考案の実施例である歯科用チップについて、図１乃至図４に基づいて説明する。
ここで、図１は本考案の第一実施例に係る歯科用チップの概要を示す模式図であり、図２は、本考案の第一実施例に係る歯科用チップの構成を示す模式的一部断面図であり、図３は、本考案の第一実施例に係る歯科用チップの識別用溝部を色付けする前の状態を示す模式図であり、図４は、本考案の第二実施例に係る歯科用チップの識別用溝部を色付けする前の状態を示す模式図であり、図５は、本考案の第二実施例に係る歯科用チップの構成を示す模式的一部断面図である。
【実施例１】
【００２９】
本考案の第一実施例に係る歯科用チップ１００は、図１及び図２に示すように、補綴物除去のための施療用ヘッド１１０とこれを支承する基部本体１２０とを有しており、超音波振動を発生させるハンドピースに装着するための装着螺子１３０を備えている。
【００３０】
基部本体１２０は、概ね円柱状に構成されているが、装着螺子１３０に隣接する部分が円錐台状に膨出するテーパ部１２１となっている。
【００３１】
また、基部本体１２０はその側面に、ハンドピースへの着脱時にチップ着脱工具で挟持するための一対の面取部１２２を備えている。
【００３２】
基部本体１２０は、図３に示すように、外周に沿って環状に形成された識別用溝部１２３を備えており、この識別用溝部１２３は、識別用溝部１２３内に塗布された着色樹脂が固化して形成した塗料層１２４により着色されている。
【００３３】
本実施例の歯科用チップ１００は、塗料層１２４の色によって歯科用チップを識別することができるので、例えば５色の塗料を用いる場合には最大で５人の所有者（使用者）の識別が可能となる。
【００３４】
塗料層１２４は、図１及び図２に示すように、基部本体１２０のうち識別用溝部１２３が設けられていない側面と面一になるように構成されている。
【００３５】
なお、本実施例の色付けに際しては、塗料層１２４による色付けに代えて、リングを装着することにより色付けしてもよい。
【実施例２】
【００３６】
本考案の第二実施例に係る歯科用チップ２００は、図５に示すように、補綴物除去のための施療用ヘッド２１０とこれを支承する基部本体２２０とを有しており、超音波振動を発生させるハンドピースに装着するための装着螺子２３０を備えている。
【００３７】
基部本体２２０は、概ね円柱状に構成されているが、装着螺子２３０に隣接する部分が円錐台状に膨出するテーパ部２２１となっている。
【００３８】
また、基部本体２２０はその側面に、ハンドピースへの着脱時にチップ着脱工具で挟持するための一対の面取部２２２を備えている。
【００３９】
基部本体２２０は、図４に示すように、外周に沿って環状に形成された複数の識別用溝部２２３を備えており、これらの識別用溝部２２３は、識別用溝部２２３にそれぞれ装着された複数のリング２２４により色付けされている。複数のリング２２４はそれぞれ赤と青とに色付けされている。
【００４０】
本実施例の歯科用チップ２００は、２つの識別用溝部２２３に装着されている２つのリング２２４の色によって歯科用チップを識別することができるので、例えば５色のリングを利用する場合には、最大で５×５＝２５人の所有者（使用者）の識別が可能となる。
【００４１】
したがって、例えば装着するリングの色が５色である場合、歯科用チップ２００が備える識別用溝部２２３をｎ本設けている場合には、５＾ｎ人の所有者（使用者）の識別が可能となる。
【００４２】
なお、２つのリング２２４を、相互に色分けして色付けする場合には、一方の識別用溝部２２３に装着したリング２２４と異なる色のリング２２４を他方の識別用溝部２２３に装着することとなる。このため、例えば装着するリングが５色である場合には、最大で５×４＝２０人の所有者（使用者）の識別が可能となる。
【００４３】
識別用溝部２２３に装着されているリング２２４は、図５に示すように、基部本体２２０のうち識別用溝部２２３が設けられていない側面と面一になるように構成されている。
【００４４】
なお、本実施例の色付けに際しては、リング２２４の装着による色付けに代えて、塗料層により色付けを行ってもよい。
【００４５】
以上説明したように、本実施例の歯科用チップ２００によれば、施療部位に向けて延出する施療用ヘッド２１０と施療用ヘッド２１０を支承する円柱状の基部本体２２０とが一体に形成されたことにより、歯科の施療ができるばかりでなく、以下のような本実施例に特有の構成により、本実施例に特有の効果を奏することができる。
【００４６】
すなわち、本実施例の歯科用チップによれば、基部本体２２０が、基部本体２２０の外周に沿って環状に形成された複数の識別用溝部２２３を備え、複数の識別用溝部２２３が、それぞれ色付けされていることにより、複数の色を組合せた多様なパターンが実現するため、複数の歯科医師及び歯科衛生士が施療を行う院内において容易に歯科用チップの所有者（使用者）を識別することができる。
【００４７】
また、複数の識別用溝部２２３が、識別用溝部２２３に装着したリング２２４によりそれぞれ色付けされていることにより、リング２２４が識別用溝部に嵌合しているため、オートクレーブの熱によってもリングが脱落しにくく、色付けを保持することができる。
【００４８】
さらに、複数の識別用溝部２２３が、識別用溝部２２３に着色した塗料層によりそれぞれ色付けされていることにより、識別のために部品点数を増加させることもないため、製造方法を簡素化することができる。
【００４９】
加えて、複数の識別用溝部２２３が、相互に色分けされていることにより、複数の相互に異なる色を識別用溝部２２３の相互間で色分けした多様な着色パターンが創出可能となるため、歯科用チップの識別に際し、誤認を少なくすることができる。
【００５０】
さらにまた、施療用ヘッド２１０が、超音波ヘッドであることにより、超音波振動によって歯科施療が可能になるため、振動によって歯石の除去、インプラントメンテナンスなどの歯周に対する施療を十分に達成することができる。
【００５１】
以上、本考案に係る歯科用チップについて実施例を用いて説明したが、本考案はこれらに限定されるものではない。
【００５２】
その他、本考案は、その主旨を逸脱しない範囲で当業者の知識に基づき種々の改良、修
正、変更を加えた態様で実施できるものである。
【産業上の利用可能性】
【００５３】
本考案に係る歯科用チップは、歯科の施療に用いることができる。
【符号の説明】
【００５４】
１００、２００・・・歯科用チップ
１１０、２１０・・・施療用ヘッド
１２０、２２０・・・基部本体
１２１、２２１・・・テーパ部
１２２、２２２・・・面取部
１２３、２２３・・・識別用溝部
１２４・・・・・・・塗料層（リング）
２２４・・・・・・・リング（塗料層）
１３０、２３０・・・装着螺子
【図１】
0003225755.tif 000003
【図２】
0003225755.tif 000004
【図３】
0003225755.tif 000005
【図４】
0003225755.tif 000006
【図５】
0003225755.tif 000007